(57)【要約】  少なくとも１つの原石を有するタイムピースに関する識別子を作成して記憶するための方法およびシステム。本方法は、少なくとも１つの原石の１つ以上の特性を測定すること、および、タイムピースにおける少なくとも１つの原石の相対位置を検出することを含む。本方法は、少なくとも１つの原石の１つ以上の特性および少なくとも１つの原石の相対位置のそれぞれのうちの少なくとも一方に基づいてタイムピースに関する識別子を作成すること、および、データベースまたは装置に識別子を記憶することをさらに含む。【選択図】図２
2015505614.tif 000002
【特許請求の範囲】
【請求項１】
少なくとも１つの原石を有するタイムピースに関する識別子を作成して記憶するための方法であって、
前記少なくとも１つの原石の１つ以上の特性を測定するステップと、
前記タイムピースにおける前記少なくとも１つの原石の相対位置を検出するステップと、
前記少なくとも１つの原石の前記１つ以上の特性および前記少なくとも１つの原石の前記相対位置のそれぞれのうちの少なくとも一方に基づいて前記タイムピースに関する前記識別子を作成するステップと、
データベースまたは装置に前記識別子を記憶するステップと
を含む方法。
【請求項２】
タイムピースの鑑定および／または識別のための方法であって、
少なくとも１つの原石の１つ以上の特性を測定するステップと、
前記タイムピースにおける前記少なくとも１つの原石の相対位置を検出するステップと、
前記少なくとも１つの原石の前記１つ以上の特性および前記少なくとも１つの原石の前記相対位置のそれぞれのうちの少なくとも一方に基づいて、前記タイムピースに関して取得された識別子を作成するステップと、
前記タイムピースが本物または偽物のいずれであるかを判定するために前記取得された識別子と１つ以上の記憶されている識別子とを比較するステップと
を含む方法。
【請求項３】
前記識別子が一意的な識別子である、請求項１に記載の方法。
【請求項４】
前記識別子が識別コードを含む、請求項１に記載の方法。
【請求項５】
前記１つ以上の特性が発光特性を含む、請求項１に記載の方法。
【請求項６】
１つ以上の特性を測定する前記ステップが、１つ以上の間隔において前記１つ以上の特性を測定することを含む、請求項１に記載の方法。
【請求項７】
１つ以上の特性を測定する前記ステップが、１つ以上のスペクトル間隔においてスペクトル特性を測定することを含む、請求項１に記載の方法。
【請求項８】
１つ以上の特性を測定する前記ステップが、２つ以上の時間間隔において発光を測定することを含み、前記２つ以上の時間間隔にわたって、前記発光が測定される、請求項１に記載の方法。
【請求項９】
前記２つ以上の時間間隔が、同時的および順次的のいずれかである、請求項８に記載の方法。
【請求項１０】
前記２つ以上の時間間隔の少なくとも１つが、異なる時間間隔である、請求項８に記載の方法。
【請求項１１】
前記２つ以上の時間間隔が、重なり合う時間間隔である、請求項８に記載の方法。
【請求項１２】
前記２つ以上の時間間隔が、重なり合わない時間間隔である、請求項８に記載の方法。
【請求項１３】
前記２つ以上の時間間隔の持続時間が同じである、請求項８に記載の方法。
【請求項１４】
前記２つ以上の時間間隔の持続時間が異なる、請求項８に記載の方法。
【請求項１５】
前記２つ以上の時間間隔が、規則的に間隔を空けられる、請求項８に記載の方法。
【請求項１６】
前記２つ以上の時間間隔が、不規則的に間隔を空けられる、請求項８に記載の方法。
【請求項１７】
前記１つ以上の特性が向きを含む、請求項１に記載の方法。
【請求項１８】
前記少なくとも１つの原石の前記向きを測定するために前記少なくとも１つの原石の複屈折特性を測定するステップをさらに含む、請求項１７に記載の方法。
【請求項１９】
前記少なくとも１つの原石の前記複屈折特性を測定するために、偏光および偏光フィルタならびに複数の偏光フィルタの一方を使用することをさらに含む、請求項１８に記載の方法。
【請求項２０】
原石のそれぞれの前記向きが、前記原石のそれぞれの光軸のうちの１つ以上の向きに基づいて識別される、請求項１７に記載の方法。
【請求項２１】
前記タイムピースが、ウォッチまたはクロックである、請求項１に記載の方法。
【請求項２２】
前記１つ以上の特性を測定する前記ステップが、発光のスペクトル特性および前記発光の減衰時間の少なくとも一方を測定することを含む、請求項５に記載の方法。
【請求項２３】
前記スペクトル特性が、前記発光の強度および波長範囲の少なくとも一方を含む、請求項２２に記載の方法。
【請求項２４】
前記識別子を作成する前記ステップが、前記少なくとも１つの原石に関して検出された前記相対位置および前記少なくとも１つの原石に関して測定された対応する前記特性をデジタル表現に変換することを含む、請求項１に記載の方法。
【請求項２５】
前記少なくとも１つの原石が、コランダムを含む、請求項１に記載の方法。
【請求項２６】
前記コランダムが、最大で数パーセントの濃度の、元素の周期表の第４周期の１種類以上のドーパント金属イオンをさらに含む、請求項２５に記載の方法。
【請求項２７】
前記濃度が、０．１％〜５％の範囲を含む、請求項２６に記載の方法。
【請求項２８】
前記ドーパント金属イオンが、Ｃｒ３＋を含む、請求項２６に記載の方法。
【請求項２９】
前記少なくとも１つの原石が、ガーネットを含む、請求項１に記載の方法。
【請求項３０】
前記ガーネットが、レアアース金属由来の１種類以上のドーパント金属イオンを含む、請求項２９に記載の方法。
【請求項３１】
前記レアアース金属由来の前記１種類以上のドーパント金属イオンが、Ｎｄ、Ｅｒ、Ｙｂ、Ｔｍ、およびＨｏからなる群のうちの１種類以上を含む、請求項３０に記載の方法。
【請求項３２】
前記少なくとも１つの原石が天然物である、請求項１に記載の方法。
【請求項３３】
前記少なくとも１つの原石が合成物である、請求項１に記載の方法。
【請求項３４】
前記発光特性が、光による励起時に前記少なくとも１つの原石によって放射される燐光および蛍光の少なくとも一方を含む、請求項５に記載の方法。
【請求項３５】
原石の前記相対位置のそれぞれを検出する前記ステップが、前記タイムピースに関連付けられた座標系に関する前記原石のそれぞれの座標（ａ１，ｂ１）を測定することを含む、請求項１に記載の方法。
【請求項３６】
前記１つ以上の記憶されている識別子が、データベースに記憶されている、請求項２に記載の方法。
【請求項３７】
少なくとも１つの原石を有するタイムピースから識別子を作成して記憶するための方法であって、
前記少なくとも１つの原石の発光特性を測定するステップと、
前記タイムピースにおける前記少なくとも１つの原石の相対位置を検出するステップと、
前記少なくとも１つの原石に関して測定された少なくとも１つの発光特性および前記少なくとも１つの原石の前記相対位置のそれぞれに基づいて前記タイムピースに関する前記識別子を作成するステップと、
データベースまたは装置に前記識別子を記憶するステップと
を含む方法。
【請求項３８】
少なくとも１つの原石を有するタイムピースの鑑定および／または識別のための方法であって、
前記少なくとも１つの原石の発光特性を測定するステップと、
前記タイムピースにおける前記少なくとも１つの原石の相対位置を検出するステップと、
前記少なくとも１つの原石の少なくとも１つの測定された発光特性および前記相対位置のそれぞれに基づいて、前記タイムピースに関して取得された識別子を作成するステップと、
前記タイムピースが本物または偽物のいずれであるかを判定するために前記取得された識別子と１つ以上の記憶されている識別子とを比較するステップと
を含む方法。
【請求項３９】
少なくとも１つの原石を有するタイムピースから識別子を作成して記憶するための方法であって、
前記少なくとも１つの原石の複屈折特性を測定するステップと、
前記タイムピースにおける前記少なくとも１つの原石の相対位置を検出するステップと、
前記少なくとも１つの原石に関して測定された少なくとも１つの複屈折特性および前記少なくとも１つの原石の前記相対位置のそれぞれに基づいて前記タイムピースに関する前記識別子を作成するステップと、
データベースまたは装置に前記識別子を記憶するステップと
を含む方法。
【請求項４０】
少なくとも１つの原石を有するタイムピースの鑑定および／または識別のための方法であって、
前記少なくとも１つの原石の複屈折特性を測定するステップと、
前記タイムピースにおける前記少なくとも１つの原石の相対位置を検出するステップと、
前記少なくとも１つの原石に関して測定された少なくとも１つの複屈折特性および前記少なくとも１つの原石の前記相対位置のそれぞれに基づいて、前記タイムピースに関して取得された識別子を作成するステップと、
前記タイムピースが本物または偽物のいずれであるかを判定するために前記取得された識別子と１つ以上の記憶されている識別子とを比較するステップと
を含む方法。
【請求項４１】
少なくとも１つの原石を有するタイムピースから識別子を作成して記憶するための方法であって、
前記少なくとも１つの原石の発光特性を測定するステップと、
前記少なくとも１つの原石の複屈折特性を測定するステップと、
前記タイムピースにおける前記少なくとも１つの原石の相対位置を検出するステップと、
前記少なくとも１つの原石の少なくとも１つの測定された発光特性、少なくとも１つの測定された前記複屈折特性、および前記少なくとも１つの原石の前記相対位置のそれぞれに基づいて前記タイムピースに関する前記識別子を作成するステップと、
データベースまたは装置に前記識別子を記憶するステップと
を含む方法。
【請求項４２】
少なくとも１つの原石を有するタイムピースの鑑定および／または識別のための方法であって、
前記少なくとも１つの原石の発光特性を測定するステップと、
前記少なくとも１つの原石の複屈折特性を測定するステップと、
前記タイムピースにおける前記少なくとも１つの原石の相対位置を検出するステップと、
少なくとも１つの測定された発光特性、前記少なくとも１つの原石の少なくとも１つの測定された前記複屈折特性、および前記少なくとも１つの原石の前記相対位置のそれぞれに基づいて前記タイムピースに関して取得された識別子を作成するステップと、
前記タイムピースが本物または偽物のいずれであるかを判定するために前記取得された識別子と１つ以上の記憶されている識別子とを比較するステップと
を含む方法。
【請求項４３】
少なくとも１つの原石を有するタイムピースから識別子を決定するためのシステムであって、
前記タイムピースにおける前記少なくとも１つの原石の１つ以上の特性を測定し、相対位置を検出するように構成された少なくとも１つのリーダと、
前記少なくとも１つの原石の前記１つ以上の特性および前記少なくとも１つの原石の前記相対位置のそれぞれのうちの少なくとも一方に基づいて前記タイムピースに関する前記識別子を作成するためのプロセッサと、
前記識別子を記憶するように構成された記憶システムと
を備えるシステム。
【請求項４４】
本物および偽物のいずれかとして前記タイムピースを識別するために前記識別子と１つ以上の記憶されている識別子とを比較するように構成された比較器をさらに備える、請求項４３に記載のシステム。
【請求項４５】
少なくとも１つの原石を有するタイムピースから識別子を決定するためのシステムであって、
前記少なくとも１つの原石の発光特性を測定し、前記タイムピースにおける前記少なくとも１つの原石の相対位置を検出するように構成された少なくとも１つのリーダと、
前記少なくとも１つの原石に関して測定された少なくとも１つの発光特性および前記少なくとも１つの原石の前記相対位置のそれぞれに基づいて前記タイムピースに関する前記識別子を作成するためのプロセッサと、
前記識別子を記憶するように構成された記憶システムと
を備えるシステム。
【請求項４６】
少なくとも１つの原石を有するタイムピースから識別子を決定するためのシステムであって、
前記少なくとも１つの原石の複屈折特性を測定し、前記タイムピースにおける前記少なくとも１つの原石の相対位置を検出するように構成された少なくとも１つのリーダと、
前記少なくとも１つの原石に関して測定された少なくとも１つの複屈折特性および前記少なくとも１つの原石の前記相対位置のそれぞれに基づいて前記タイムピースに関する前記識別子を作成するためのプロセッサと、
前記識別子を記憶するように構成された記憶システムと
を備えるシステム。
【請求項４７】
少なくとも１つの原石を有するタイムピースから識別子を決定するためのシステムであって、
前記少なくとも１つの原石の発光特性の測定、前記少なくとも１つの原石の複屈折特性の測定、および前記タイムピースにおける前記少なくとも１つの原石の相対位置の検出を行うように構成された少なくとも１つのリーダと、
前記少なくとも１つの原石に関して測定された少なくとも発光特性、前記少なくとも１つの原石に関して測定された少なくとも１つの複屈折特性、および前記少なくとも１つの原石の前記相対位置のそれぞれに基づいて前記タイムピースに関する前記識別子を作成するためのプロセッサと、
前記識別子を記憶するように構成された記憶システムと
を備えるシステム。
【請求項４８】
少なくとも１つの原石を有するタイムピースに関する識別子を作成して記憶するための方法であって、
前記少なくとも１つの原石の１つ以上の特性を測定するステップと、
前記少なくとも１つの原石の前記１つ以上の特性のうちの少なくとも１つに基づいて前記タイムピースに関する前記識別子を作成するステップと、
データベースまたは装置に前記識別子を記憶するステップと
を含む方法。
【請求項４９】
タイムピースの鑑定および／または識別のための方法であって、
少なくとも１つの原石の１つ以上の特性を測定するステップと、
前記少なくとも１つの原石の前記１つ以上の特性のうちの少なくとも１つに基づいて前記タイムピースに関して取得された識別子を作成するステップと、
前記タイムピースが本物または偽物のいずれであるかを判定するために前記取得された識別子と１つ以上の記憶されている識別子とを比較するステップと
を含む方法。
【請求項５０】
少なくとも１つの原石を有するタイムピースに関する識別子を作成して記憶するための方法であって、
前記少なくとも１つの原石の１つ以上の特性であって、発光特性および向きのうちの少なくとも一方を含む１つ以上の特性を測定するステップと、
前記少なくとも１つの原石の１つ以上の発光特性および向きのうちの少なくとも一方に基づいて前記タイムピースに関する前記識別子を作成するステップと、
データベースまたは装置に前記識別子を記憶するステップと
を含む方法。
【請求項５１】
タイムピースの鑑定および／または識別のための方法であって、
少なくとも１つの原石の１つ以上の特性であって、発光特性および向きのうちの少なくとも一方を含む１つ以上の特性を測定するステップと、
前記少なくとも１つの原石の１つ以上の発光特性および向きのうちの少なくとも一方に基づいて前記タイムピースに関して取得された識別子を作成するステップと、
前記タイムピースが本物または偽物のいずれであるかを判定するために前記取得された識別子と１つ以上の記憶されている識別子とを比較するステップと
を含む方法。
【請求項５２】
タイムピースであって、
少なくとも１つの原石を有するムーブメントであって、前記少なくとも１つの原石が、該少なくとも１つの原石の１つ以上の特性に基づいて前記タイムピースに関する識別子を作成するために選択されている、ムーブメント
を備えるタイムピース。
【請求項５３】
前記識別子が、１つ以上の所定の要素を含み、前記少なくとも１つの原石が、前記１つ以上の特性の検出時に前記１つ以上の所定の要素を示すように選択されている、請求項５２に記載のタイムピース。
【請求項５４】
タイムピースであって、該タイムピースの識別子と関連付けて前記タイムピースの識別番号を記憶するように構成された記憶システムと組み合わされる、少なくとも１つの原石を有するムーブメントを備え、
前記識別子が、前記タイムピースの１つ以上の原石の原石特性に対応する、タイムピース。
【請求項５５】
少なくとも１つの原石を有するタイムピースを作製する方法であって、
前記少なくとも１つの原石であって、該少なくとも１つの原石の１つ以上の特性に基づいて前記タイムピースに関する識別子を作成するために選択され、および／または特定の向きに配置される前記少なくとも１つの原石を組み込むステップ
を含む方法。
【請求項５６】
前記識別子が、１つ以上の所定の要素を含み、前記少なくとも１つの原石が、前記１つ以上の特性の検出時に前記１つ以上の所定の要素を示すように選択される、請求項５５に記載の方法。
【請求項５７】
複数のタイムピース識別子を記憶するように構成されたデータベースであって、
タイムピースの識別子と関連付けて前記タイムピースの識別番号を記憶するように構成された記憶システム
を備えるデータベース。
【請求項５８】
前記識別子が、前記タイムピースの１つ以上の原石の原石特性に対応する、請求項５７に記載のデータベース。
【請求項５９】
前記識別子が、前記タイムピースの１つ以上の原石の原石特性の数字表現または英数字表現を含む、請求項５７に記載のデータベース。
【請求項６０】
前記タイムピースの真正性および前記タイムピースの非真正性のいずれかを示す信号を出すステップをさらに含む、請求項２に記載の方法。
【請求項６１】
前記信号が、警告、保留信号、警報、および通知のうちの少なくとも１つを含む、請求項６０に記載の方法。
【発明の詳細な説明】
【関連出願の相互参照】
【０００１】
[0000.1]本出願は、その開示の全体が参照により明示的に本明細書に組み込まれる２０１２年２月３日付で提出された米国特許仮出願第６１／５９４，７３４号明細書および２０１２年２月６日付で提出された欧州特許出願公開第１２１５４０６３．７号明細書の優先権を主張するものである。
【技術分野】
【０００２】
[0001]本発明の実施形態は、タイムピースおよびウォッチに関し、より具体的には、ウォッチの識別および鑑定のシステムおよび方法に関する。
【背景技術】
【０００３】
[0002]一般にノックオフ（ｋｎｏｃｋ−ｏｆｆ）と呼ばれる偽造消費財は、売りに出される偽造品または模倣品のことである。近年、偽造商品の拡散は地球規模になっており、侵害を受ける商品の範囲が著しく拡大している。
【０００４】
[0003]高価なウォッチ（およびウォッチのスペアパーツ）は、偽造の対象になりやすく、何十年にもわたって偽造されてきた。偽造ウォッチは、本物のウォッチの部分または全体の違法な複製品である。Ｓｗｉｓｓ  Ｃｕｓｔｏｍｓ  Ｓｅｒｖｉｃｅの推定によれば、毎年約３０〜４０百万個の偽造ウォッチが流通している。割引価格で提供されるたくさんのこのような偽造ウォッチをコートの内側に所持した物売りが、ニューヨーク市を訪れた観光客に街角で近づくことは日常茶飯事である。極めて本物そっくりだが、極めて質の悪いウォッチでは、自動巻き機構が模造され、また、十分に作動するムーブメントが、わずか２０ドルで販売される場合がある。偽物の質の絶え間ない向上に伴い、問題はますます深刻になっている。例えば、ある偽のムーブメントおよび材料は、極めて巧妙な品質を有し、訓練を受けていない目には良く見える場合があり、数年間は十分に機能する。これは、偽造業界内の激しい競争により起こり得た結果である。偽造ウォッチは、１年につき推定で１億ドルの損失をウォッチ産業にもたらす。
【発明の概要】
【発明が解決しようとする課題】
【０００５】
[0004]偽造から消費財を保護するために用いられてきた鑑定の解決策は、多くの場合、特定の情報（コード）を物品にマーキングすること、またはマーキング、彫刻などに基づいている。しかしながら、これらの方法は、対象の性質および見た目を変えてしまう。このことは、多くの場合、ウォッチ（および他の高級品）産業（ここでは、対象のデザインおよびその外観が決定的に重要である）では許容不可能である。また、これらの方法は、製造時に積極的な介入を必要とし、これに応じて生産工程の重要な変更を必要とする。識別および／または鑑定のための別の方法は、タグ付けを含む（例えば、マイクロタグまたはＲＦＩＤタグ）。しかしながら、タグ付けの手法は、介入を必要とし、実際的ではない場合がある。さらに、このような手法は、偽物からの保護のためにウォッチメーカーの必要性および制約条件のすべてを満たさない場合がある。タイムピースの寿命が、多くの場合、数十年と見積もられることから、マーキングまたはタグの安定性および耐久性も問題となる。
【０００６】
[0005]したがって、製造工程への最小限の介入しか必要とせずに、もしくは製造工程への介入を全く必要とせずに、および／または、あからさまなマーキングを有さずに、識別／鑑定機能を実現する、ウォッチの識別および鑑定の改善されたシステムおよび方法が必要とされる。
【課題を解決するための手段】
【０００７】
[0006]本発明は、少なくとも１つの原石を有するタイムピースに関する識別子を作成して記憶するための方法を提供する。本方法は、少なくとも１つの原石の１つ以上の特性を測定するステップと、タイムピースにおける少なくとも１つの原石の相対位置を検出するステップと、少なくとも１つの原石の１つ以上の特性および少なくとも１つの原石の相対位置のそれぞれのうちの少なくとも一方に基づいてタイムピースに関する識別子を作成するステップと、データベースまたは装置に識別子を記憶するステップとを含む。
【０００８】
[0007]さらなる実施形態において、本発明は、タイムピースの鑑定および／または識別のための方法を提供する。本方法は、少なくとも１つの原石の１つ以上の特性を測定するステップと、タイムピースにおける少なくとも１つの原石の相対位置を検出するステップとを含む。さらに、本方法は、少なくとも１つの原石の１つ以上の特性および少なくとも１つの原石の相対位置のそれぞれのうちの少なくとも一方に基づいてタイムピースに関して取得された識別子を作成するステップと、タイムピースが本物または偽物のいずれであるかを判定するために取得された識別子と１つ以上の記憶されている識別子とを比較するステップとを含む。
【０００９】
[0008]さらなる実施形態において、識別子は、一意的な識別子であり、識別コードを含んでもよい。
【００１０】
[0009]本発明の実施形態に関して、１つ以上の特性は、発光特性および／または向きを含む。
【００１１】
[0010]さらなる実施形態において、１つ以上の特性を測定するステップは、１つ以上の間隔において１つ以上の特性を測定することを含み、このことは、１つ以上のスペクトル間隔においてスペクトル特性を測定すること、または、２つ以上の時間間隔（time  interval）において発光を測定することであって、２つ以上の時間間隔にわたって発光が測定されることを含んでもよい。
【００１２】
[0011]本発明の実施形態に関して、２つ以上の時間間隔は、同時的および順次的のいずれかであってもよく、重なり合う時間間隔または重なり合わない時間間隔であってもよく、同じ持続時間または異なる持続時間を有してもよく、規則的または不規則的に間隔を空けられてもよく、また、２つ以上の時間間隔の少なくとも１つは、異なる時間間隔であってもよい。一部の実施形態において、１つ以上の特性を測定するステップは、発光のスペクトル特性および発光の減衰時間の少なくとも一方を測定することを含み、この場合、スペクトル特性は、発光の強度および波長範囲の少なくとも一方を含む。本発明の実施形態において、発光特性は、光による励起時に少なくとも１つの原石によって放射される燐光および蛍光の少なくとも一方を含む。
【００１３】
[0012]さらなる実施形態において、本方法は、少なくとも１つの原石の向きを測定するために少なくとも１つの原石の複屈折特性を測定するステップをさらに含み、このステップは、少なくとも１つの原石の複屈折特性を測定するために偏光および偏光フィルタならびに複数の偏光フィルタの一方を使用することを含んでもよい。さらなる実施形態に関して、各原石の向きは、各原石の光軸のうちの１つ以上の向きに基づいて識別される。
【００１４】
[0013]本発明の実施形態に関して、タイムピースは、ウォッチおよびクロックのいずれかを備える。
【００１５】
[0014]一部の実施形態において、識別子を作成するステップは、少なくとも１つの原石に関して検出された相対位置および少なくとも１つの原石に関して測定された対応する特性をデジタル表現に変換することを含む。
【００１６】
[0015]さらなる実施形態に関して、少なくとも１つの原石は、コランダムを含む。さらに、一部の実施形態において、コランダムは、最大で数パーセントの濃度の、元素の周期表の第４周期の１種類以上のドーパント金属イオンをさらに含む。実施形態において、ドーパント濃度は、０．１％〜５％の範囲を含む。特定の実施形態において、ドーパント金属イオンは、Ｃｒ３＋を含む。さらなる実施形態において、少なくとも１つの原石は、ガーネットを含み、この場合、実施形態において、ガーネットは、レアアース金属由来の１種類以上のドーパント金属イオンを含み、また、１種類以上のドーパント金属イオンは、Ｎｄ、Ｅｒ、Ｙｂ、Ｔｍ、およびＨｏからなる群からの１種類以上のドーパント金属イオンを含んでもよい。さらに、実施形態において、原石は、天然物または合成物であってもよい。
【００１７】
[0016]本発明の態様によれば、実施形態において、各原石の相対位置を検出するステップは、タイムピースと関連付けられた座標系に関する各原石の座標（ａ１，ｂ１）を測定することを含む。
【００１８】
[0017]一部の実施形態において、１つ以上の記憶されている識別子は、データベースに記憶される。
【００１９】
[0018]本発明のさらなる実施形態は、少なくとも１つの原石を有するタイムピースから識別子を作成して記憶するための方法に関する。本方法は、（１）少なくとも１つの原石の発光特性、（２）タイムピースにおける少なくとも１つの原石の相対位置、および（３）少なくとも１つの原石の複屈折特性のうちの少なくとも１つを含む特性を測定するステップと、測定された特性に基づいてタイムピースに関する識別子を作成するステップと、データベースまたは装置に識別子を記憶するステップとを含む。
【００２０】
[0019]本発明のさらなる実施形態は、少なくとも１つの原石を有するタイムピースの鑑定および／または識別のための方法に関する。本方法は、（１）少なくとも１つの原石の発光特性、（２）タイムピースにおける少なくとも１つの原石の相対位置、および（３）少なくとも１つの原石の複屈折特性のうちの少なくとも１つを含む特性を測定するステップを含む。本方法は、測定された特性に基づいて、タイムピースに関して取得された識別子を作成するステップ、および、タイムピースが本物または偽物のいずれであるかを判定するために取得された識別子と１つ以上の記憶されている識別子とを比較するステップをさらに含む。
【００２１】
[0020]本発明のさらなる実施形態は、少なくとも１つの原石を有するタイムピースから識別子を決定するためのシステムを提供する。本システムは、タイムピースの少なくとも１つの原石の１つ以上の特性であって、（１）少なくとも１つの原石の発光特性、（２）タイムピースにおける少なくとも１つの原石の相対位置、および（３）少なくとも１つの原石の複屈折特性のうちの少なくとも１つを含む１つ以上の特性を測定するように構成された少なくとも１つのリーダを備える。本システムは、少なくとも１つの原石の１つ以上の特性および少なくとも１つの原石の相対位置のそれぞれのうちの少なくとも一方に基づいてタイムピースに関する識別子を作成するためのプロセッサと、識別子を記憶するように構成された記憶システムとをさらに備える。
【００２２】
[0021]さらなる実施形態に関して、本システムは、本物および偽物のいずれかとしてタイムピースを識別するために識別子と１つ以上の記憶されている識別子とを比較するように構成された比較器をさらに備える。
【００２３】
[0022]本発明のさらなる実施形態は、少なくとも１つの原石を有するムーブメントを備えるタイムピースであって、少なくとも１つの原石が、該少なくとも１つの原石の１つ以上の特性に基づいてタイムピースに関する識別子を作成するために選択されているタイムピースに関する。一部の実施形態において、識別子は、１つ以上の所定の要素を含み、少なくとも１つの原石は、１つ以上の特性の検出時に１つ以上の所定の要素を示すように選択される。
【００２４】
[0023]本発明のさらなる実施形態は、タイムピースであって、タイムピースの識別子と関連付けてタイムピースの識別番号を記憶するように構成された記憶システムと組み合される、少なくとも１つの原石を有するムーブメントを備え、識別子がタイムピースの１つ以上の原石の原石特性に対応する、タイムピースに関する。
【００２５】
[0024]本発明のさらなる実施形態は、少なくとも１つの原石を有するタイムピースを作製する方法に関する。本方法は、少なくとも１つの原石であって、該少なくとも１つの原石の１つ以上の特性に基づいてタイムピースに関する識別子を作成するために選択された少なくとも１つの原石を組み込むステップを含む。実施形態において、識別子は、１つ以上の所定の要素を含み、少なくとも１つの原石は、１つ以上の特性の検出時に１つ以上の所定の要素を示すように選択されるか、または特定の向きに配置される。
【００２６】
[0025]本発明のさらなる態様によれば、実施形態において、データベースは、複数のタイムピース識別子を記憶するように構成される。本データベースは、タイムピースの識別子と関連付けてタイムピースの識別番号を記憶するように構成された記憶システムを備える。実施形態において、識別子は、タイムピースの１つ以上の原石の原石特性に対応する。実施形態において、識別子は、タイムピースの１つ以上の原石の原石特性の数字表現または英数字表現を含む。
【００２７】
[0026]さらなる実施形態において、本方法は、タイムピースの真正性およびタイムピースの非真正性のいずれかを示す信号を出すステップをさらに含む。
【００２８】
[0027]さらなる実施形態において、信号は、警告、保留信号、警報、および通知のうちの少なくとも１つを含む。
【００２９】
[0028]本発明ならびに本発明の他の目的およびさらなる特徴のより完全な理解のためには、以下の例示的で非限定的な図面に関連して、本発明の以下の詳細な説明を参照しなければならない場合がある。
【図面の簡単な説明】
【００３０】
【図１】ウォッチの構成部品の例示的な断面図を示している。
【図２】本発明の態様に従って照明される宝石を示す、ウォッチの例示的な概略図を示している。
【図３】本発明の態様に係る宝石発光測定の概観図を示している。
【図４】宝石の発光の検出および測定を示している。
【図５】宝石の発光の検出および測定を示している。
【図６】宝石の発光の検出および測定を示している。
【図７】宝石の発光の検出および測定を示している。
【図８】宝石の発光の検出および測定を示している。
【図９】宝石の発光の検出および測定を示している。
【図１０】宝石の発光の検出および測定を示している。
【図１１】宝石の発光の検出および測定を示している。
【図１２】宝石の発光の検出および測定を示している。
【図１３】宝石の発光の検出および測定を示している。
【図１４】宝石の発光の検出および測定を示している。
【図１５】宝石の発光の検出および測定を示している。
【図１６】本発明の態様に係る例示的なカメラ測定の結果を示している。
【図１７】本発明の態様に係る例示的な向き測定の図を示している。
【図１８Ａ】本発明の態様に係る向き測定の例示的な結果を示している。
【図１８Ｂ】本発明の態様に係る向き測定の例示的な結果を示している。
【図１９】本発明に係る工程を管理するための例説的な環境１９００を示している。
【図２０】本発明の態様を実行するための例示的なフローを示している。
【図２１】本発明の態様を実行するための例示的なフローを示している。
【発明を実施するための形態】
【００３１】
[0038]参照符号は、図面の様々な図の全体にわたって本発明の同じ部分または同等の部分を指示している。
【００３２】
[0039]以下の説明では、添付の図面に関連して、本発明の様々な実施形態が説明される。
【００３３】
[0040]本明細書に示されている詳細は、一例であり、本発明の実施形態の例説のためのものに過ぎず、本発明の原理および概念的態様の最も有用で最も理解の容易な説明であると考えられているものを提供するために提示されている。これに関連して、本発明の基本的な理解に必要とされる以上に詳しく本発明の構造の詳細について示そうとはしておらず、また、説明が、図面に関連して行われていることによって、本発明の形態がどのようにして実際に具体化され得るのかが当業者に明らかになっている。
【００３４】
[0041]本明細書で使用されるとき、単数形「ある（ａ）」、「ある（ａｎ）」、および「その（ｔｈｅ）」は、文脈上そうでないとする明瞭な指示がない限り複数に関する言及を含む。例えば、「ある磁性材料（ａ  ｍａｇｎｅｔｉｃ  ｍａｔｅｒｉａｌ）」への言及は、明確に除外されない限り１種類以上の磁性材料の混合物が存在してもよいことをも意味する。
【００３５】
[0042]別段の指定がある場合を除いて、本明細書および特許請求の範囲で使用されている構成要素および反応条件などの量を表すすべての数は、すべての事例において「約」という語によって修飾されているものとして理解されるべきである。したがって、相反する指定がない限り、本明細書および特許請求の範囲に記載されている数値パラメータは、本発明が得ようとする所望の特性に応じて変化し得る近似値である。少なくとも、各数値パラメータは、特許請求の範囲への均等論の適用を制限しようとするものとして考えられるべきではなく、有効桁数および一般の端数処理習慣を踏まえて解釈されるべきである。
【００３６】
[0043]さらに、本明細書内での数値範囲の記載は、この範囲内のすべての数値および数値範囲の開示であると考えられる。例えば、範囲が約１から約５０までの場合、この範囲は、例えば、１、７、３４、４６．１、２３．７、またはこの範囲内の任意の他の値または範囲を含むと見なされる。
【００３７】
[0044]本明細書に開示されている様々な実施形態は、相反する明確な言明がない限り、単独でおよび様々な組合せにおいて使用されてもよい。
【００３８】
[0045]ウォッチは、典型的には手首に装着される小さなタイムピースであるか、または、チェーンに取り付けられ、ポケットに入れて持ち運ばれる小さなタイムピースである。なお、腕時計が、今日使用されている最も一般的な種類のウォッチである。機械式ウォッチは、電子的に機能する現代のクォーツウォッチとは対照的に時間の経過を測定するために機械的機構が使用されるウォッチである。
【００３９】
[0046]フェイスおよびハンドを除くウォッチの内部機構は、ムーブメントと呼ばれる。ウォッチは、ウォッチに動力を与える目的で機械的エネルギーを蓄積するために定期的に巻かれるぜんまい（主ぜんまいと呼ばれる）によって駆動される。主ぜんまいの力は、ハズミ車に動力を与えるために一連の歯車（または歯車列）を介して伝達される。歯車列は、主ぜんまいの力をハズミ車に伝達する機能ならびに秒、分、および時間などの単位を得るためにハズミ車を振動させる機能の二重の機能を有する。キーレスワーク（ｋｅｙｌｅｓｓ  ｗｏｒｋ）と呼ばれる、歯車列の別個の部分は、使用者が主ぜんまいを巻くことを可能にし、また、時間を合わせるためにハンドが動かされることを可能にする。
【００４０】
[0047]ハズミ車は、一定の速度で前後に振動する、荷重を掛けられたホイールである。ハズミ車の各振動は、正確に同じ時間量を刻む。これが、ウォッチの時間維持要素である。脱進機機構は、各振動でハズミ車を押すことによってハズミ車の振動を維持する機能、および、クロックの歯車が各振動で一定量だけ前進または「脱進」して、一定の速度でウォッチのハンドを前方へ動かすことを可能にする機能の二重の機能を有する。脱進機による歯車列の周期的な停止により、機械式ウォッチのカチカチ音が出る。文字盤（通常は、回転ハンドを伴う従来のクロックフェイス）は、人間が読み取り可能な形式で時間を表示するために使用される。
【００４１】
[0048]宝石軸受は、摩擦を低減するためにウォッチに導入された。宝石を使用する利点は、その超硬質の滑らかな表面が、金属と比較してより低い摩擦係数を有することである。現代のウォッチの宝石は、通常は、合成サファイアまたは（通常は）合成ルビーである。これらは、コランダム（Ａｌ２Ｏ３）（知られている最も硬い物質の１つ（唯一ダイヤモンドのみがこれよりも硬い））から作製される。コランダムの色は透明である。サファイアとルビーの唯一の違いは、異なる不純物が、コランダムの透明な色を変化させるために添加されていることであり、その軸受としての特性に違いはない。
【００４２】
[0049]宝石は、ウォッチにおいて複数の目的を果たす。まず、摩擦の低減は、精度を向上させ得る。ホイール列の軸受および脱進機における摩擦は、ハズミ車に加えられる衝撃のわずかな変化をもたらし、時間維持における速度の変化をもたらす。宝石表面の予測可能な低摩擦は、このような変化を低減させる。次に、宝石は、軸受の寿命を向上させることができる。
【００４３】
[0050]ウォッチでは、軸受に２つの異なる種類の宝石が利用される。穴石は、大部分のホイールのアーバ（またはシャフト）を支持するために使用されるドーナツ形状のスリーブ軸受である。キャップストーン（ｃａｐｓｔｏｎｅ）（またはキャップ宝石（ｃａｐ  ｊｅｗｅｌ））は、アーバの両端に配置される。アーバが垂直姿勢にある場合、アーバの丸みを帯びた端部が、キャップストーンの表面に当接し、これにより、摩擦が低減される。
【００４４】
[0051]図１は、ウォッチの構成部品の例示的な断面図を示している。図１に示されているように、穴石１０は、アーバ（シャフト）１５を支持するために使用されており、キャップストーン（またはキャップ宝石）２０は、アーバの両端（図１には１つの端部だけが示されている）に配置されている。
【００４５】
[0052]また、宝石は、滑り摩擦によって機能する、脱進機の部分に利用される。例えば、アンクルにおいて、レバーの傾斜した矩形表面が、ガンギ車の歯によって押圧される。アンクルは、ウォッチムーブメントにおける摩擦の主な源であり、宝石が適用された最初の場所の１つであった。
【００４６】
[0053]ウォッチムーブメントに使用される宝石の数は、宝石の使用がより安価となり、ウォッチがより正確になるにつれて、この１５０年の間に増加してきた。ウォッチにおいて宝石の使用が本当に必要とされる唯一の軸受は、時方輪列（主ぜんまいの香箱からハズミ車に力を伝達する歯車列）のものである。なぜなら、これらのみが、絶えず主ぜんまいからの力を受けるからである。ハンドを回転させるホイール（モーションワーク（ｍｏｔｉｏｎ  ｗｏｒｋ））およびカレンダーホイールは負荷を受けず、一方、主ぜんまいを巻くホイール（キーレスワーク）は、めったに使用されないため、これらはあまり摩耗しない。摩擦が最も激しいのは、最も速く動くホイールである。このため、これらは、宝石の使用から最も恩恵を得る。したがって、ウォッチにおいて宝石が使用された最初の機構は、脱進機が後に続くハズミ車であった。より多くの宝石軸受が追加されたとき、これらは、より遅く動くホイールに適用され、宝石の使用は、香箱の近くの時方輪列を進歩させた。宝石が１７個のウォッチでは、ハズミ車から二番車までの軸受のすべての軸受に、宝石が使用される。このように、「完全に宝石が使用された」ウォッチが考えられた。高級ウォッチでは、位置の誤差を最小限に抑えるために、キャップストーンが、レバーおよびガンギ車の軸受に追加された。これにより、宝石の数は２１個になった。場合によっては、主ぜんまいの香箱のアーバにさえ、宝石が使用された。これにより、合計で２３個になった。自動巻きウォッチが、１９５０年代に登場したとき、自動巻き機構のいくつかのホイールに宝石が使用された。これにより、総数が２５個〜２７個に増加した。
【００４７】
[0054]本発明の態様によれば、複数の宝石（または原石）の１つ以上の特性が、タイムピースの識別および／または鑑定のために使用される。驚いたことに、宝石は、宝石の性質、宝石の化学成分、および／または宝石の物理特性と関係のある特定の特性を分析することによって、鑑定および／または識別のために使用することができることが発見された。実施形態において、各宝石に関するこれらの特性は、石の発光、空間における石の位置、および石の向きを含む。
【００４８】
[0055]本発明の態様を実施することによって、ウォッチは、ウォッチの１つ以上の宝石の特定の特性の分析および測定を通して一意的に識別することができる。分析および測定は、例えばウォッチの製造の最中または後に実行されてもよい。実施形態において、宝石のこれらの特定の特性（または例えばこれらの数字表現）は、識別番号（例えば、通し番号）と共に記憶システム（例えば、データベース）に記憶されてもよい。後に、１つ以上の宝石の特定の特性の分析および測定を実行し、この測定結果と記憶システムに前もって記憶された結果とを比較することによって、ウォッチを鑑定することができる。測定結果が、前もって記憶された識別（またはウォッチの識別番号に関連付けられた前もって記憶された識別）と一致した場合、ウォッチは本物であると判断される。
【００４９】
[0056]ウォッチは、例えば、２７個もの宝石を有する場合もあるが、一般的には５〜７個の宝石（場合によっては、これよりも多い宝石）が、例えば透明なバックプレートを通して、または、バックプレートが取り外された後で、ムーブメントにおいて見ることができる。実施形態において、本発明では、５〜７個の可視的な宝石が、識別および／または鑑定のために使用されてもよいことが考えられている。しかしながら、本発明では、実施形態において、これらの「可視的な」宝石以外の宝石（これらは、例えばタイムピースのさらなる分解の後で、または、タイムピースの組立ての完了の前に見ることができる）が、例えば「可視的な」宝石の代わりとして、または、これに加えて識別および／または鑑定のために使用されてもよいことが考えられている。
【００５０】
[0057]本発明の実施形態は、製造工程への最小限の介入しか必要とせずに、または、製造工程への介入を全く必要とせずに、識別および鑑定の機能を実現する、ウォッチの識別および鑑定の改善されたシステムおよび方法を提供する。
宝石の発光
【００５１】
[0058]天然ルビーおよび合成ルビーは、主にＣｒ：Ａｌ２Ｏ３から構成されており、また、その機械的特性および場合によりその色に起因してウォッチに使用される。また、天然ルビーおよび合成ルビーは、他の興味深い特性を有する。例えば、ルビーは、Ｃｒのドーピングに起因して長寿命の強い発光（λ〜７００ｎｍ、τ〜３．５ｍｓ（λは発光の波長であり、τは発光の寿命である））を示す。発光の強度に起因して、この特性は、容易に測定可能である。本発明の態様によれば、ルビーの発光は、セキュリティ特徴として利用される。τは、例えば、Ｃｒおよび他の不純物の濃度に依存する。上記の例では、クロムのドーピングが利用されているが、本発明では、実施形態において、他の（または付加的な）種類のドーパントが使用されてもよく、この結果、宝石が異なる寿命および／または発光範囲を示してもよいことが考えられている。例えば、（他に考えられるドーパントの中でも）ＴｉまたはＦｅのドーピングが、発光寿命を調整するために使用されてもよい。他の種類の考えられるドーパント（とりわけ、ガーネット（コランダムと比較してわずかに硬くないが、同様にタイムピースに使用される）に関する）は、Ｎｄ、Ｅｒ、Ｙｂ、Ｔｍ、およびＨｏなどのレアアースを含む。本発明の例示的な態様によれば、石（例えば、市販の石）の自然なばらつきは、識別および鑑定のセキュリティ特徴を形成するために利用することができる。さらに、本発明の実施形態において、製造業者は、ターゲット合成（例えば、特定の特性）を実現するように合成された宝石を使用してもよい。例えば、ドーパントの濃度は、合成時に指定されてもよい。上ではルビーに言及しているが、実施形態において、石は、例えば最大で数パーセントの濃度の、第４周期の１種類以上の「ドーパント」金属イオン（Ｆｅ、Ｔｉ、Ｖ、Ｃｒ、…）を含有するコランダム（Ａｌ２Ｏ３）および／またはガーネットであってもよい。例えば、実施形態において、数パーセントの濃度は、０．１％〜５％の範囲を含む。実施形態において、ドーパントイオンは、Ｃｒ３＋であってもよい。実施形態において、宝石は、天然物および／または合成物であってもよい。
【００５２】
[0059]本発明の実施形態によれば、ウォッチは、照明光源にさらされ、ウォッチの多数の宝石の発光が、間隔の期間にわたって測定される。発光によって、光による励起時に石によって放射される燐光および／または蛍光が意図されている。実施形態において、間隔は、発光を測定するための時間間隔（例えば、１〜１０ｍｓ）であってもよいし、または、スペクトル間隔（例えば、λ＝６９０〜７１０ｎｍ）であってもよい。
【００５３】
[0060]図２は、照明にさらされる宝石を示す、ウォッチの例示的な概略図を示している。理解されるべきは、図２が、ウォッチの概略図を示しており、ウォッチのすべての構成部品を示しているわけではないことである。図２に示されているように、この例示的で非限定的な実施形態に関しては、７個の宝石（２０５、２１０、２１５、２２０、２２５、２３０、および２３５）が照明にさらされる。理解されるべきは、異なるウォッチが、異なる数の宝石および／または（例えば、透明な背面を通しておよび／または背面カバーの取外し時に）可視的である異なる数の宝石を有してもよいこと、ならびに、本発明では、識別および／または鑑定のために任意の数の宝石が使用されることが考えられていることである。図２に示されているように、宝石２０５、２１０、２１５、２２０、および２２５は、キャップストーン用の宝石であり、一方、宝石２３０および２３５は、脱進機用の宝石である。
【００５４】
[0061]図３は、本発明の態様に係る宝石発光測定の概観図を示している。図３に示されているように、期間Ｔｅｘｃにわたって、照明光源３０５が、ウォッチの宝石に励起光を供給するために作動される。時間ΔＴの経過後、宝石の発光が、Ｔｄｅｔにわたってリーダ３１０によって検出され、測定される。画像３１５は、励起光によって照明中の宝石を概略的に示している。画像３２０は、Ｔｄｅｔ中の宝石を示している。実施形態において、リーダ３１０は、例えば、他に考えられるリーダの中でも固定装置、ハンドヘルド装置、携帯電話、および／またはカメラを備えてもよい。
【００５５】
[0062]本発明の態様によれば、宝石の発光は、複数の間隔において検出され、測定されてもよい。複数の間隔によって、発光が測定される２つ以上の時間間隔であって、同じであってももしくは異なっていてもよい２つ以上の時間間隔（例えば、複数の宝石の発光が、同じ時間間隔にわたって（すなわち、同時に）測定されるか、または、異なる時間間隔にわたって（すなわち、順次的に）測定される）、重なり合ってももしくは重なり合わなくてもよい２つ以上の時間間隔、同じ持続時間もしくは異なる持続時間を有してもよい２つ以上の時間間隔、規則的に間隔を空けられてももしくは空けられなくてもよい２つ以上の時間間隔が意図されている。
【００５６】
[0063]図４〜図１５は、ΔＴ＝０（図４）からΔＴ＝３．３（図１５）ｍｓまで持続時間が０．３ｍｓずつ異なる間隔を空けられた、宝石の発光の例示的で非限定的な検出および測定を示している。さらに、図４〜図１５は、Ｔｄｅｔの間に検出された発光の各画像（４２０、５２０、６２０、７２０、８２０、９２０、１０２０、１１２０、１２２０、１３２０、１４２０、および１５２０）をも示している。実施形態において、発光の測定は、発光のスペクトル特性（強度および／または波長）の測定および／または発光の寿命（減衰時間とも呼ばれる）の測定を含む。
【００５７】
[0064]図１６は、本発明の態様に係る、同じ供給者からの１０個のルビーに関する例示的なカメラ測定の結果を示している。図１６（ａ）は、１０個のルビーに関する減衰曲線を示している（各ルビーはグラフ線によって示されている）。図１６（ｂ）は、１０個のルビーに関してそれぞれの寿命を示している。図１６（ａ）に示されているように、１０個の異なるルビーは、異なる減衰曲線を示している。図１６（ｂ）に示されているように、１０個の異なるルビーは、異なる寿命を示している。さらに、図１６（ｂ）に示されているように、この例示的な一組の１０個のルビー（ルビー番号１〜ルビー番号１０が割り当てられた）に関して、ルビー番号１、４、８、および１０は、相対的に外れたものである。このことは、異なる宝石の間には減衰率のばらつきがある（例えば、同じ供給者からの同じ組の中であっても）ことを示しており、したがって、発光の検出が、識別および鑑定の目的に適していることを示している。
宝石の位置
【００５８】
[0065]本発明のさらなる態様によれば、各宝石の相対位置が、例えばリーダによって検出されてもよい。実施形態において、位置は、タイムピースに関連付けられた座標系に関する石の座標（ｘ１，ｙ１）を含んでもよい。さらなる実施形態において、宝石は、位置番号（例えば、「位置１」、「位置２」など）によって識別されてもよい。さらに、各宝石の相対位置は、識別および／または鑑定のためにそれぞれの発光特性（例えば、寿命、減衰曲線、減衰率など）に関連付けられてもよい（例えば、データベースにおいて）。したがって、図２に関して言えば、実施形態において、７個の宝石（２０５、２１０、２１５、２２０、２２５、２３０、および２３５）のそれぞれの各発光特性が、検出されて、各宝石の相対位置に関連付けられる（例えば、データベースにおいて）。例えば、τ０＝１.１ｍｓ、τ１＝１.５ｍｓ、τ２＝１.５ｍｓ、τ３＝…、τ４＝…、τ５＝…、τ６＝…である（τは寿命であり、０〜６は宝石番号（または宝石の相対位置）である）。本発明の態様によれば、各宝石の発光特性と相対位置とのこのような関連付けによって、例えばどの宝石がどの寿命を有するのかに関するマップが作成され、識別および／または鑑定のために一意的な（または実質的に一意的な）識別子またはバイオメトリック署名がウォッチに割り当てられる。理解されるべきは、本発明では、任意の数の宝石が、識別子またはバイオメトリック署名として機能してもよい（宝石の数が増えるほど、より高いレベルの一意性が実現される）ことが考えられていることである。
宝石の向き
【００５９】
[0066]タイムピース内において、宝石（例えば、キャップストーン）は、円形であり、組み立てられるときに回転軸線に関して任意に配置される。つまり、同じ製造業者の２つのウォッチは、宝石の同じ配置を有し得る（すなわち、対応する宝石が、同じ相対位置に配置される）が、これらの宝石は、宝石の軸線に関して任意の向きに配置され、これにより、２つのウォッチは、異なる向きに配置された宝石を有するようになる。したがって、本発明のさらなる態様によれば、１つ以上の宝石の向きが、タイムピースの識別および／または鑑定のための識別子として使用されてもよい。石の向きは、以下でさらに説明されるように、石が複屈折材料（例えば、コランダムなど）から作製されている場合、単純な方法で測定され得る。
【００６０】
[0067]本発明のさらなる態様によれば、各宝石の相対的な向きは、例えばリーダによって検出されてもよい。さらに、各宝石の相対的な向きは、識別および／または鑑定のために各宝石の各位置および／または各発光特性（例えば、寿命、減衰率など）に関連付けられてもよい（例えば、データベースにおいて）。
【００６１】
[0068]上で言及された発光特性に加えて、天然または合成のルビーおよびコランダムは、例えば、他の興味深い特性をさらに有する。例えば、ルビーおよびコランダムは、強い複屈折を示す。複屈折（または二重屈折）は、光線が特定の異方性材料（方解石または窒化ホウ素の結晶など）を透過するときに２つの光線に分かれることおよびこのような材料の性質のことである。最も単純な効果の事例は、一軸異方性を有する材料に見られる。つまり、この材料の構造は、この材料が対称軸線を有し、この対称軸線に対して垂直な平面において同等の軸線が存在しないようになっている。この軸線は、材料の光軸として知られており、これと平行な直線偏光の光およびこれと垂直な直線偏光の光に関する屈折率は同じではない（それぞれｎｅおよびｎｏとして表される（添え字は、異常（ｅｘｔｒａｏｒｄｉｎａｒｙ）および通常（ｏｒｄｉｎａｒｙ）を表す））。この名称は、非偏光が、光軸に対してゼロ以外の鋭角で材料に入射した場合、この軸と垂直な偏光の成分が、標準的な屈折の法則に従って屈折され、一方、相補的な偏光成分が、入射の角度および屈折率の差（Δｎ＝ｎｅ−ｎｏ）（複屈折の大きさとして知られる）によって決定される非標準的な角度で屈折するという事実を反映している。したがって、光は、通常光線および異常光線として知られる２つの直線偏光ビームに分かれる。
【００６２】
[0069]一定の伝搬方向に関して、一般に、２つの垂直偏光が存在し、これらに対して媒質は、１つの有効な屈折率を有するかのように振る舞う。一軸材料の場合、これらの偏光の光線は、異常屈折率および通常屈折率に対応する異常光線および通常光線（ｅ光線およびｏ光線）と呼ばれる。二軸材料の場合、３つの屈折率α、β、およびγが存在するものの、２つの光線のみが存在し、これらは、速い光線および遅い光線と呼ばれる。遅い光線は、最も高い有効な屈折率に対応する光線である。
【００６３】
[0070]したがって、本発明の態様によれば、ルビーの複屈折が、セキュリティ特徴として利用されてもよい。ルビーの複屈折は、近似的にｎω＝１．７６８〜１．７７０、ｎε＝１．７６０〜１.７６３、Δｎ〜０．００８であり、この場合、光軸の方向は、石の向きに依存する。本発明の態様によれば、石の向きは、複屈折石の光軸の１つ以上の相対的な向きを測定するための光学的な方法（例えば、偏光および偏光フィルタ、または、直交偏光板）によって容易に測定することができる。特に単純な方法は、２つの直交直線偏光板（１つは、石を照明するために使用される光を偏光するためのものであり、もう１つは、石によって反射された光を分析するためのものである）を使用することを含む。このとき、石に対する２つの偏光板の相対的な向きが、最小の反射強度が観察されるまで偏光板を回転させるか、または石を回転させるかのいずれかによって変更される。この位置において、偏光板の軸線が、上述した速い方向および遅い方向に揃えられる。
【００６４】
[0071]図１７は、本発明の態様に係る例示的な向き測定の図を示している。図１７（ａ）は、例示的なタイムピース１７００（およびこの中の可視的な宝石１７０５）の概略図を示している。図１７（ｂ）〜図１７（ｈ）は、本発明の態様に係る例示的な向き測定を示している。理解されるべきは、図１７（ｂ）〜図１７（ｈ）が、本発明の態様をより明瞭に示すために概略的なムーブメント（図１７（ａ）に示されている）が除去されたウォッチ１７００を概略的に示していることである。図１７（ｂ）〜図１７（ｈ）に示されているように、この例示的で非限定的な実施形態に関しては、タイムピース１７００（およびこの中の可視的な宝石１７０５）の７回の測定が、例えば直交偏光板を用いて、０度（図１７（ｂ））から９０度（図１７（ｈ））まで１５度ずつインクリメントさせて行われている。直交偏光板の向きは、参照符号１７１０によって図１７（ｂ）〜図１７（ｈ）のそれぞれに示されている。この測定を実行する場合、宝石１７０５のそれぞれの相対的な向きは、複屈折に基づいて測定されてもよい。図１７の例示的な実施形態は、１５度ずつインクリメントさせて行われた測定を示しているが、本発明では、実施形態において、より細かいまたはより粗い測定を行うために、他のインクリメント（例えば、５度ずつのインクリメント）が使用されてもよいことが考えられている。
【００６５】
[0072]図１８Ａおよび図１８Ｂは、本発明の態様に係る向き測定の例示的な結果を示している。理解されるべきは、図１８Ａおよび図１８Ｂが、ウォッチの概略図を示しており、ウォッチのすべての構成部品を示しているわけではないことである。さらに、観察することができるように、図１８Ａは、ウォッチムーブメントの付加的な構成部品と共に宝石を示しており、一方、図１８Ｂは、宝石自体のみを示している。図１８Ａおよび図１８Ｂに示されているように、この例示的で非限定的な実施形態に関しては、ウォッチ１８００は、６個の宝石１８０５を含む。本発明の態様によれば、６個の宝石１８０５のそれぞれの相対的な向きのそれぞれは、検出されて、各宝石の相対位置に関連付けられる（例えば、データベースにおいて）。例えば、Θ１＝３５°、Θ２＝１０°、Θ３＝４５°、Θ４＝３５°、Θ５＝４０°、Θ６＝２５°である（Θは相対的な向きであり、１〜６は宝石番号（または宝石の相対位置）である）。本発明の態様によれば、各宝石の向きと相対位置とのこのような関連付けによって、例えばどの宝石がどの向きを有するのかに関するマップが作成され、識別および／または鑑定のために一意的な（または実質的に一意的な）識別子またはバイオメトリック署名がウォッチに割り当てられる。理解されるべきは、本発明では、任意の数の宝石が、識別子またはバイオメトリック署名として機能してもよい（宝石の数が増えるほど、より高いレベルの一意性が実現される）ことが考えられていることである。さらに、相対位置と各発光特性および各向きの双方との関連付けによって、より高いレベルの識別一意性が実現される。さらに、石の発光特性および向きの測定は、これらの特性のどちらか１つのみを測定することと比較してそれほど大きな時間またはコストを必要とするわけではない。実施形態において、石ごとに２〜１０ビットの情報が存在してもよい。
【００６６】
[0073]さらなる実施形態において、通常はコランダムから作製されるウォッチフェイスカバー自体の向きが、ウォッチの付加的な識別子として機能してもよい。例えば、コランダムカバーの複屈折特性に起因して、カバーの相対的な向きが、測定され、ウォッチの識別子として使用されてもよい。さらに、本発明では、ウォッチが改変されているか否かを判定するためにウォッチフェイスカバーの向きの検出が利用されてもよい。つまり、現在のウォッチフェイスカバーの向きの検出が、対応するウォッチ（例えば、通し番号によって識別される）に関して記憶されているウォッチフェイスカバーの向きの検出と一致しない場合、本発明は、ウォッチが改変されていることを示す。
識別子の作成
【００６７】
[0074]本発明のさらなる態様によれば、実施形態において、各宝石の測定された発光特性、相対位置、および／または向きは、識別子（例えば、識別コードまたはマップ）を作成するために使用されてもよい。実施形態において、識別子の作成は、記憶することのできるデジタル表現への測定された情報の変換を含む。実施形態において、識別子は、（i）石の位置、（ii）石の向き、（iii）石の発光、および（iv）第１の識別子として機能する、タイムピースの部分に記された値（例えば、ケースまたはムーブメントの通し番号）のうちの１つ以上に基づく。実施形態において、識別子は、コード（例えば、英数字コード）もしくはマップまたは測定に関係する別の種類の情報（生データ（例えば、画像）を含む）であってもよい。実施形態において、比較は、例えば石の相対位置を測定することなく、石の特性（例えば、発光もしくは減衰の時間曲線または偏光板（複屈折を測定するための）の向きに応じて石から反射される光）の測定に基づいてもよい。
【００６８】
[0075]さらに、実施形態において、タイムピースは、自己鑑定型であってもよい（例えば、前もって識別されたタイムピースのデータベースと比較することなく鑑定可能であってもよい）。例えば、製造段階において、製造業者は、石の位置と、石の（i）向き、（ii）発光のうちの１つ以上とに基づいてコードを決定してもよい。次に、このコード（例えば、暗号化形式の）が、識別番号（例えば、通し番号）としてタイムピースに付加されてもよい。次に、後の鑑定工程において、石の位置と、石の（i）向き、（ii）発光のうちの１つ以上とが、決定コードを生成するために再び測定され、次に、この決定コードが、タイムピースの識別番号と比較されてもよい。
【００６９】
[0076]また、本発明では、石の特性が、タイムピースの他の特性と関連付けられて、何らかの所定の基準に照らして製造時に選択されることが考えられている。例えば、規定の寿命を有する石が、特定のタイムピースモデルの特定の位置に関して選択されてもよい。実施形態において、例えば、存在する各原石が、他の石の１つ以上と特定の関係を有してもよい。さらなる実施形態において、石の特性は、ウォッチの何らかの他の特性（例えば、通し番号）に合致するように選択されてもよい。非限定的で例示的な実施形態に関して、一連の１００個のウォッチのために、数字または英数字であってもよい、１２桁によって構成された初期コードが考えられてもよい。これらのウォッチのそれぞれは常に、共通の１つの文字または１つの数字（規定の寿命を有する石に関連付けられてもよい）を有し、残りの桁は、実施形態および特許請求の範囲において他の場所で言及されている内容に基づいて決定される。例えば、製造業者は、特定の通し番号（例えば、「２」で終わる）を有するウォッチが、特定の特性を有する石を位置「２」に含まなければならないと規定してもよい。このように、本発明の態様によれば、ウォッチは、自己鑑定型であってもよい（すなわち、鑑定のためにデータベースにアクセスする必要がない）。さらなる実施形態に関して、１つ以上の石の特定の特性を規定する代わりに、ウォッチメーカーは、石の間の特定の相対関係を規定してもよい。例えば、製造業者は、「位置１」の石の寿命が、「位置４」の石よりも０．５ｍｓ長くなければならないと規定してもよい。
【００７０】
[0077]ウォッチの保守点検または修理に関して、ムーブメントの宝石は、通常は調整、移動、または再配置されないことに留意すべきである。つまり、例えば、「位置１」の宝石は、別の位置に移動されない。さらに、修理の間に、宝石の相対的な向きは、通常は調整されない。したがって、本発明は、ウォッチが保守点検または修理されたとしてもウォッチの識別および／または鑑定を行うために使用可能である。宝石が再配置される場合、または、ムーブメント全体が交換される場合、ウォッチを再記録する（例えば、本物として再認定する）必要がある。本発明の態様に従って例えば再記録するとき、ウォッチは、ウォッチに関して新しい識別子（例えば、マップまたは識別コード）を決定するために再び分析されてもよい。この新しい識別子は、古い識別子と交換され、ウォッチの英数字の識別子（例えば、通し番号）と関連付けてデータベースに記憶されてもよい。
【００７１】
[0078]本発明は、宝石の特性（例えば、発光、向き、および位置）が実質的に経時的に変化しないため、確かな解決策を提供する。さらに、本発明は、もともと存在するタイムピースの構成部品を利用しているため、組立工程の変更を一切必要としない。本発明は、容易に測定される特性を利用している。実施形態において、本発明は、石（または宝石）ごとに複数のビット情報を利用する。さらに、本発明の態様によれば、石は、石ごとにより多くのビットを有するように構成されてもよい。宝石の特性（例えば、発光、向き、および位置）は、例えば製造時に測定されてもよいため、本発明は、ある程度の開封明示性（ｔａｍｐｅｒ  ｅｖｉｄｅｎｃｅ）を実現する。本発明の態様によれば、石の位置、向き、発光は、特定のコードを作成するために製造時に意図的に指定されてもよいし、または、製造業者によってこのように選ばれてもよい。例えば、１つ以上の石の向きが、例えば所定の識別コードを作成するために製造業者によって課せられてもよい。
例
【００７２】
[0079]非限定的で例示的な実施形態に関して、ウォッチの製造業者または販売者は、例えば、石の位置と、石の（i）向き、（ii）発光のうちの１つ以上とに基づいて識別コードを決定するためにウォッチの分析を実行してもよい。後に、石の位置と、石の（i）向き、（ii）発光のうちの１つ以上とに基づいて、作成された識別コードを判定するためにウォッチの分析を実行し、作成された識別コードと１つ以上の記憶されている識別コードとを比較することによって、とりわけウォッチの所有者、製造業者、顧客、および／または修理店は、例えば、ウォッチを鑑定してもよい。
【００７３】
[0080]理解されるべきは、実施形態において、ウォッチの初期分析（識別コードを作成するための）は、元の製造の終了段階で実行されてもよいことである。例えば、ウォッチの所有者は、識別コードを決定するためにその使用されたウォッチを分析させてもよく、次に、この識別コードが、将来の鑑定および／または識別のためにウォッチメーカーに送られてもよい。
システム環境
【００７４】
[0081]当業者によって理解されるように、本発明は、タイムピース、システム、方法、またはコンピュータプログラム製品として具体化されてもよい。したがって、本発明は、完全にハードウェアの実施形態、完全にソフトウェアの実施形態（ファームウェア、常駐ソフトウェア、マイクロコードなどを含む）、またはソフトウェアおよびハードウェアの態様を組み合わせた実施形態（これらはすべて、本明細書では一般的に「回路」、「モジュール」、または「システム」と呼ばれ得る）の形態をとってもよい。さらに、本発明は、任意の有形の表現の媒体であって、この媒体において具体化されるコンピュータ使用可能プログラムコードを有する媒体において具体化されたコンピュータプログラム製品の形態をとってもよい。
【００７５】
[0082]１つ以上のコンピュータ使用可能媒体またはコンピュータ可読媒体の任意の組合せが利用されてもよい。コンピュータ使用可能媒体またはコンピュータ可読媒体は、例えば、電子的な、磁気的な、光学的な、電磁気的な、赤外線の、または半導体のシステム、機器、装置、または伝搬媒質であってもよいが、これらに限定されない。コンピュータ可読媒体のより詳細な例（非限定的なリスト）は、以下を、すなわち、
１つ以上の電線を有する電気的接続、
携帯用コンピュータディスケット、
ハードディスク、
ランダムアクセスメモリ（ＲＡＭ）、
読取り専用メモリ（ＲＯＭ）、
消去可能でプログラム可能な読取り専用メモリ（ＥＰＲＯＭまたはフラッシュメモリ）、
光ファイバ、
携帯用のコンパクトディスクの読取り専用メモリ（ＣＤＲＯＭ）、
光記憶装置、
伝送媒体（インターネットまたはイントラネットを支えているものなど）、
磁気記憶装置、
ｕｓｂキー、
証明書、
穿孔カード、および／または
携帯電話
を含んでもよい。
【００７６】
[0083]本文書との関連では、コンピュータ使用可能媒体またはコンピュータ可読媒体は、命令実行のシステム、機器、または装置による使用または命令実行のシステム、機器、または装置との関連における使用のためにプログラムを含み、記憶し、通信し、伝搬し、または転送することができる任意の媒体であってもよい。コンピュータ使用可能媒体は、ベースバンドまたは搬送波の一部のいずれかの、伝搬されるデータ信号を含んでもよく、この場合、コンピュータ使用可能プログラムコードは、この伝搬されるデータ信号によって具体化される。コンピュータ使用可能プログラムコードは、無線、有線、光ファイバケーブル、ＲＦなどを含むが、これらに限定されない任意の適切な媒体を用いて伝送されてもよい。
【００７７】
[0084]本発明の動作を実行するためのコンピュータプログラムコードは、Ｊａｖａ（登録商標）、Ｓｍａｌｌｔａｌｋ、またはＣ＋＋などのオブジェクト指向プログラミング言語および「Ｃ」プログラミング言語または同様のプログラミング言語などの従来の手続き型プログラミング言語を含む１つ以上のプログラミング言語を任意に組み合わせて書かれてもよい。プログラムコードは、スタンドアロンのソフトウェアパッケージとして、完全に使用者のコンピュータにおいて、部分的に使用者のコンピュータにおいて、部分的に使用者のコンピュータおよび部分的に遠隔コンピュータにおいて、または完全に遠隔コンピュータもしくはサーバにおいて実行されてもよい。後半のケースでは、遠隔コンピュータは、任意の種類のネットワークを介して使用者のコンピュータと接続されてもよい。これは、例えば、ローカルエリアネットワーク（ＬＡＮ）または広域ネットワーク（ＷＡＮ）を含んでもよいし、または、外部コンピュータとの接続がなされてもよい（例えば、インターネットサービスプロバイダを使用してインターネットを介して）。さらに、実施形態において、本発明は、フィールドプログラマブルゲートアレイ（ＦＰＧＡ）において具体化されてもよい。
【００７８】
[0085]図１９は、本発明に係る工程を管理するための例説的な環境１９００を示している。この点に関して、環境１９００は、本明細書で説明されている工程を実行することのできるサーバまたは他の計算システム１９０５を含む。詳細には、サーバ１９０５は、計算装置１９１０を含む。計算装置１９１０は、サードパーティーのサービスプロバイダのネットワークインフラまたは計算装置に存在してもよい（その任意のものが、図１９に大まかに示されている）。
【００７９】
[0086]実施形態において、計算装置１９１０は、発光測定ツール１９４５と、位置測定ツール１９５０と、向き測定ツール１９５５と、コード生成ツール１９６０と、コード比較ツール１９６５とを含み、これらは、１つ以上の検出される発光特性の測定と、１つ以上の検出される相対位置の測定と、１つ以上の検出される相対的な向きの測定と、相対位置、発光特性、相対的な向き、および／または通し番号に基づいた識別コードの生成と、測定された特性または生成されたコードと記憶されている特性または記憶されているコードとの比較とを行う（例えば、これらの工程は、本明細書で説明されている）ように動作可能である。発光測定ツール１９４５、位置測定ツール１９５０、向き測定ツール１９５５、コード生成ツール１９６０、およびコード比較ツール１９６５は、別々のモジュールまたは複合モジュールとして、メモリ１９２５Ａに記憶されたプログラムコントローラ１９４０の１つ以上のプログラムコードとして実施されてもよい。
【００８０】
[0087]また、計算装置１９１０は、プロセッサ１９２０、メモリ１９２５Ａ、Ｉ／Ｏインターフェース１９３０、およびバス１９２６を含む。メモリ１９２５Ａは、プログラムコードの実際の実行の最中に利用されるローカルメモリと、大容量記憶装置と、実行の最中に大容量記憶装置からコードを取得しなければならない回数を減らすために少なくとも一部のプログラムコードの一時的な記憶を行うキャッシュメモリとを含んでもよい。さらに、計算装置は、ランダムアクセスメモリ（ＲＡＭ）、読取り専用メモリ（ＲＯＭ）、およびオペレーティングシステム（Ｏ／Ｓ）を含む。
【００８１】
[0088]計算装置１９１０は、外部のＩ／Ｏ装置／リソース１９３５および記憶システム１９２５Ｂと通信する。例えば、Ｉ／Ｏ装置１９３５は、個人が計算装置１９１０と相互作用することを可能にする任意の装置、または、計算装置１９１０が任意の種類の通信リンクを用いて１つ以上の他の計算装置と通信することを可能にする任意の装置を備えてもよい。外部のＩ／Ｏ装置／リソース１９３５は、例えば、ハンドヘルド装置、ＰＤＡ、ハンドセット、キーボード、スマートフォンなどであってもよい。さらに、本発明の態様によれば、環境１９００は、照明を行うための照明装置１９７０ならびに宝石の発光特性、相対位置、および／または相対的な向きを測定するための１つ以上のリーダ１９７５を含む。
【００８２】
[0089]一般に、プロセッサ１９２０は、メモリ１９２５Ａおよび／または記憶システム１９２５Ｂに記憶され得るコンピュータプログラムコード（例えば、プログラムコントローラ１９４０）を実行する。さらに、本発明の態様によれば、プログラムコードを有するプログラムコントローラ１９４０は、発光測定ツール１９４５、位置測定ツール１９５０、向き測定ツール１９５５、コード生成ツール１９６０、およびコード比較ツール１９６０を制御する。コンピュータプログラムコードを実行している間に、プロセッサ１９２０は、メモリ１９２５Ａ、記憶システム１９２５Ｂ、および／またはＩ／Ｏインターフェース１９３０への／からのデータの読込みおよび／または書込みを行ってもよい。プログラムコードは、本発明の工程を実行する。バス１９２６は、計算装置１９１０の構成部品のそれぞれの間の通信リンクを形成している。
【００８３】
[0090]計算装置１９１０は、汎用のコンピュータ製品であって、これに組み込まれたコンピュータプログラムコードを実行することのできる汎用のコンピュータ製品を備えてもよい（例えば、パーソナルコンピュータ、サーバなど）。しかしながら、計算装置１９１０は、本明細書で説明されている工程を実行することのできる様々な可能な同等の計算装置の代表に過ぎないことが理解される。この点に関して、実施形態において、計算装置１９１０によって実現される機能は、汎用および／または特定用途のハードウェアおよび／またはコンピュータプログラムコードの任意の組合せを含むコンピュータ製品によって実施されてもよい。各実施形態において、プログラムコードおよびハードウェアは、それぞれプログラミングおよびエンジニアリングの標準的な技術を用いて形成されてもよい。
【００８４】
[0091]同様に、計算インフラ１９０５は、本発明を実施するための様々な種類のコンピュータインフラを例説しているに過ぎない。例えば、実施形態において、サーバ１９０５は、本明細書で説明されている工程を実行するために任意の種類の通信リンクを介してネットワークまたは共有メモリなどと通信する２つ以上の計算装置（例えば、サーバクラスタ）を備える。さらに、本明細書で説明されている工程を実行している間に、サーバ１９０５の１つ以上の計算装置は、任意の種類の通信リンクを用いてサーバ１９０５の外部の１つ以上の他の計算装置と通信してもよい。通信リンクは、有線リンクおよび／もしくは無線リンクの任意の組合せ、１つ以上の種類のネットワーク（例えば、インターネット、広域ネットワーク、ローカルエリアネットワーク、仮想プライベートネットワークなど）の任意の組合せを含んでもよく、ならびに／または伝送技術およびプロトコルの任意の組合せを利用してもよい。
フロー図
【００８５】
[0092]図２０および図２１は、本発明の態様を実行するための例示的なフローを示している。図２０および図２１のステップは、例えば図１９の環境において実施されてもよい。フロー図は、本発明のハイレベルブロック図を同様に示し得る。図２０および図２１のフローチャートおよび／またはブロック図は、本発明の様々な実施形態に係るシステム、方法、およびコンピュータプログラム製品の可能な実施態様のアーキテクチャ、機能、および動作を示している。この点に関して、フローチャートまたはブロック図の各ブロックは、指定された論理機能を実施するための１つ以上の実行可能な命令を含むコードのモジュール、セグメント、または部分を示し得る。一部の代替的な実施態様において、ブロックで言及されている機能が、図で言及されている順番から外れて行われてもよいことがさらに留意されるべきである。例えば、連続して示されている２つのブロックは、実際には実質的に同時に実行されてもよいし、または、ブロックは、場合によっては、関連する機能に応じて逆の順番で実行されてもよい。各フローチャートの各ブロック、および、フローチャートの例説の組合せは、上述したように、指定された機能または動作を実行する特殊用途のハードウェアベースのシステム、または、特殊用途のハードウェアならびにコンピュータ命令および／もしくはソフトウェアの組合せによって実施されてもよい。さらに、フロー図のステップは、クライアントサーバ関係のサーバのいずれかから実施および実行されてもよいし、または、フロー図のステップは、ユーザワークステーションにおいて、ユーザワークステーションに伝達される動作情報を用いて実行されてもよい。実施形態において、ソフトウェア要素は、ファームウェア、常駐ソフトウェア、マイクロコードなどを含む。
【００８６】
[0093]さらに、本発明は、コンピュータもしくは任意の命令実行システムによる使用またはコンピュータもしくは任意の命令実行システムとの関連における使用のためにプログラムコードを供給するコンピュータ使用可能媒体またはコンピュータ可読媒体からアクセス可能なコンピュータプログラム製品の形態をとってもよい。ソフトウェアおよび／またはコンピュータプログラム製品は、図１９の環境において実施されてもよい。本発明の説明のために、コンピュータ使用可能媒体またはコンピュータ可読媒体は、命令実行システム、機器、もしくは装置による使用または命令実行システム、機器、もしくは装置との関連における使用のためにプログラムを含み、記憶し、通信し、伝搬し、または転送することのできる任意の機器であってもよい。媒体は、電子的な、磁気的な、光学的な、電磁気的な、赤外線の、または半導体のシステム（または機器または装置）または伝搬媒質であってもよい。コンピュータ可読記憶媒体の例は、半導体メモリまたは固体メモリ、磁気テープ、取り外し可能なコンピュータディスケット、ランダムアクセスメモリ（ＲＡＭ）、読取り専用メモリ（ＲＯＭ）、リジッド磁気ディスク（ｒｉｇｉｄ  ｍａｇｎｅｔｉｃ  ｄｉｓｋ）、および光ディスクを含む。光ディスクの現在の例は、コンパクトディスク−読取り専用メモリ（ＣＤ−ＲＯＭ）、読込み／書込み用コンパクトディスク（ＣＤ−Ｒ／Ｗ）、およびＤＶＤを含む。
【００８７】
[0094]図２０は、タイムピースに関する識別コードを作成して記憶するための例示的なフロー２０００を示している。ステップ２００５において、位置測定ツールは、１つ以上の宝石の相対位置を検出する。図２０に示されているように、ステップ２０１０において、発光測定ツールは、例えば１つ以上の間隔において１つ以上の宝石の発光特性を測定する。ステップ２０１５において、向き測定ツールは、１つ以上の宝石の相対的な向きを検出する。ステップ２０２０において、コード生成ツールは、１つ以上の宝石の相対位置、発光特性、および／または相対的な向きに基づいて識別コードを作成する。実施形態において、コード生成ツールは、識別コードの作成の際に、さらにタイムピースの通し番号を利用してもよい。ステップ２０２５において、コード生成ツールは、記憶システム（例えば、データベース）に識別コードを記憶する。
【００８８】
[0095]図２１は、タイムピースの鑑定および／または識別のための例示的なフロー２１００を示している。図２１に示されているように、ステップ２１０５において、位置測定ツールは、１つ以上の宝石の相対位置を検出する。ステップ２１１０において、発光測定ツールは、例えば１つ以上の間隔において１つ以上の宝石の発光特性を測定する。ステップ２１１５において、向き測定ツールは、１つ以上の宝石の相対的な向きを検出する。ステップ２１２０において、コード作成ツールは、１つ以上の宝石の発光特性、相対位置、および相対的な向きに基づいて、取得された識別コードを作成する。ステップ２１２５において、コード比較ツールは、取得されたコードと記憶されている識別コードとを比較する。ステップ２１３０において、コード比較ツールは、取得されたコードが、記憶されている識別コードと一致するか否かを判定する。ステップ２１３０において、コード比較ツールが、取得されたコードは記憶されている識別コードと一致すると判定した場合、ステップ２１３５において、タイムピースは本物であると判定される。ステップ２１３０において、コード比較ツールが、取得されたコードは記憶されている識別コードと一致しないと判定した場合、ステップ２１４０において、タイムピースは偽物であると判定される。
【００８９】
[0096]特定の実施形態を参照しながら、本発明について説明してきたが、当業者は、本発明の真の精神および範囲から逸脱することなく、本発明の要素に関して、様々な変更がなされ得ることおよび同等物が代わりとなり得ることを理解するであろう。さらに、本発明の本質的な教示から逸脱することなく、修正がなされてもよい。
【図１】
2015505614.tif 000003
【図２】
2015505614.tif 000004
【図３】
2015505614.tif 000005
【図４】
2015505614.tif 000006
【図５】
2015505614.tif 000007
【図６】
2015505614.tif 000008
【図７】
2015505614.tif 000009
【図８】
2015505614.tif 000010
【図９】
2015505614.tif 000011
【図１０】
2015505614.tif 000012
【図１１】
2015505614.tif 000013
【図１２】
2015505614.tif 000014
【図１３】
2015505614.tif 000015
【図１４】
2015505614.tif 000016
【図１５】
2015505614.tif 000017
【図１６】
2015505614.tif 000018
【図１７】
2015505614.tif 000019
【図１８Ａ】
2015505614.tif 000020
【図１８Ｂ】
2015505614.tif 000021
【図１９】
2015505614.tif 000022
【図２０】
2015505614.tif 000023
【図２１】
2015505614.tif 000024
【国際調査報告】
2015505614.tif 000025
2015505614.tif 000026
2015505614.tif 000027